(57)【要約】【課題】スプリング支持部が破損しにくく、かつケース本体の外観が綺麗な情報記録媒体を提供する。【解決手段】磁気テープが巻回されたテープリールを回転可能に収容すると共に磁気テープを引き出すための切り欠き部２１ａがその底板２１に形成されたケース本体３と、底板２１の外側にスライド可能に配設されて切り欠き部２１ａを開閉するスライド部８と、底板２１に配設されてスライド部８をスライド不可状態にロックするロック部２３と、ロック部２３をスライド部８側に向けてその一端部で押圧するロックスプリング１０ａと、ロックスプリング１０ａの他端部側を支持するスプリング支持部４１とを備え、スプリング支持部４１は、ケース本体３とは別体に形成されてケース本体３内における天面側に収容されたカバー部材４に配設されている。【選択図】図１１
2006331464.tif 000002
【特許請求の範囲】
【請求項１】
磁気テープが巻回されたテープリールを回転可能に収容すると共に当該磁気テープを引き出すためのテープ引き出し口がその底面に形成されたケース本体と、当該ケース本体における前記底面の外側にスライド可能に配設されて前記テープ引き出し口を開閉するスライド部と、前記ケース本体の前記底面に配設されて前記スライド部をスライド不可状態にロックするロック部と、当該ロック部を前記スライド部側に向けてその一端部で押圧するロックスプリングと、当該ロックスプリングの他端部側を支持するスプリング支持部とを備え、
前記スプリング支持部は、前記ケース本体とは別体に形成されて当該ケース本体内における天面側に収容された固定部材に配設されている情報記録媒体。
【請求項２】
前記ケース本体は、テープリールを視認させるため窓部が前記天面に形成されて構成され、
前記スプリング支持部は、前記窓部を閉塞する前記固定部材としてのカバー部材に配設されている請求項１記載の情報記録媒体。
【請求項３】
前記スプリング支持部は、前記磁気テープのテープエンドを検出するための検出光の光路を変更させるプリズムが取り付けられた前記固定部材としての光学系部材に配設されている請求項１記載の情報記録媒体。
【請求項４】
前記スプリング支持部は、前記ロックスプリングの前記他端部を当接させる台座と、当該台座に配設されて前記ロックスプリングの前記他端部側に挿入される突出部とを備えて構成されている請求項１から３のいずれかに記載の情報記録媒体。
【請求項５】
前記台座は、中空に形成されている請求項４記載の情報記録媒体。
【発明の詳細な説明】
【技術分野】
【０００１】
本発明は、ケース本体に形成されたテープ引き出し口を開閉するスライド部と、スライド部をスライド不可状態にロックするロック部と、ロック部を押圧するロックスプリングとを備えた情報記録媒体に関するものである。
【背景技術】
【０００２】
この種の情報記録媒体として、特開平９−１７１５１号公報に開示されたテープカートリッジが知られている。このテープカートリッジは、上ハーフおよび下ハーフで構成されたカートリッジ本体と、カートリッジ本体の内部に回転自在に収納されたテープリールと、下ハーフにスライド移動自在に支持されて記録再生装置側のテープローディング手段が進入するローディング空間部を開閉するスライダと、上ハーフと下ハーフの前面部を閉塞するリッドとを備えて構成されている。この場合、下ハーフには、スライダをスライド不可状態にロックするスライダロック片が設けられている。また、上ハーフには、下ハーフのスライダロック片をスライダ側に押圧するロックスプリングを取り付ける（ロックスプリングに挿入する）ための円柱状のスプリング取付け部が一体形成されている。このテープカートリッジでは、下ハーフのスライダロック片がロックスプリングによってスライダ側に付勢されることにより、スライダロック片に形成されている係合凸部がスライダに形成されているロック部のロック穴に係合してスライダがスライド不可状態にロックされる。
【特許文献１】特開平９−１７１５１号公報（第５−７頁、第１−８図）
【発明の開示】
【発明が解決しようとする課題】
【０００３】
ところが、上記のテープカートリッジには、以下の問題点がある。すなわち、このテープカートリッジでは、円柱状のスプリング取付け部が、カートリッジ本体における上ハーフに一体形成されている。ここで、例えば、テープカートリッジの記録容量を増加させるために、現状よりも幅広の磁気テープを採用するときには、カートリッジ本体の厚みを厚くすることが考えられ、これに伴ってロックスプリングおよびスプリング取付け部を現状よりも長くする必要がある。この場合、上ハーフは、一般的に、樹脂を射出成形することによって製造される。また、スプリング取付け部は小径のロックスプリングに挿入可能に細長く形成されている。このため、この種のテープカートリッジにおいてカートリッジ本体の厚みを厚くしたときには、細長のスプリング取付け部をさらに長く形成する必要がある結果、射出成形時における離型性が低下して、スプリング取付け部が破損するおそれがある。この場合、上ハーフに台座を形成してその台座に従来と同じ長さのスプリング取付け部を形成し、従来と同じ長さのロックスプリングをそのスプリング取付け部に取り付ける方法も考えられる。しかしながら、上ハーフは、上記したように射出成形によって製造されるため、この方法では、上ハーフにおける台座の形成部分が他の部分よりも肉厚となって、射出成形時にひけが発生して上ハーフの表面に凹凸が生じることがある。したがって、この種のテープカートリッジには、表面に生じた凹凸によって外観が損なわれるおそれがあるという問題点が存在する。
【０００４】
本発明は、かかる問題点に鑑みてなされたものであり、スプリング支持部が破損しにくく、かつケース本体の外観が綺麗な情報記録媒体を提供することを主目的とする。
【課題を解決するための手段】
【０００５】
上記目的を達成すべく本発明に係る情報記録媒体は、磁気テープが巻回されたテープリールを回転可能に収容すると共に当該磁気テープを引き出すためのテープ引き出し口がその底面に形成されたケース本体と、当該ケース本体における前記底面の外側にスライド可能に配設されて前記テープ引き出し口を開閉するスライド部と、前記ケース本体の前記底面に配設されて前記スライド部をスライド不可状態にロックするロック部と、当該ロック部を前記スライド部側に向けてその一端部で押圧するロックスプリングと、当該ロックスプリングの他端部側を支持するスプリング支持部とを備え、前記スプリング支持部は、前記ケース本体とは別体に形成されて当該ケース本体内における天面側に収容された固定部材に配設されている。
【０００６】
この場合、テープリールを視認させるため窓部を前記天面に形成して前記ケース本体を構成し、前記窓部を閉塞する前記固定部材としてのカバー部材に前記スプリング支持部を配設することができる。
【０００７】
また、前記磁気テープのテープエンドを検出するための検出光の光路を変更させるプリズムが取り付けられた前記固定部材としての光学系部材に前記スプリング支持部を配設することができる。
【０００８】
また、前記ロックスプリングの前記他端部を当接させる台座と、当該台座に配設されて前記ロックスプリングの前記他端部側に挿入される突出部とを備えて前記スプリング支持部を構成することができる。
【０００９】
また、前記台座を中空に形成することができる。
【発明の効果】
【００１０】
本発明に係る情報記録媒体によれば、ケース本体とは別体に形成されてケース本体内における天面側に収容された固定部材にスプリング支持部を配設したことにより、ケース本体の天面にスプリング支持部を直接形成する構成とは異なり、例えば、スプリング支持部の強度を向上させるためにスプリング支持部の基端部側を大径に形成して固定部材にひけが生じたとしても、ケース本体の外部からそのひけが視認される事態を確実に回避できるため、ケース本体の外観を綺麗な状態に維持することができる。
【００１１】
また、本発明に係る情報記録媒体によれば、ケース本体の天面に形成された窓部を閉塞する固定部材としてのカバー部材にスプリング支持部を配設したことにより、スプリング支持部を配設するための別部材を設ける必要がないため、その分、情報記録媒体の製造工程を簡略化することができる。この結果、この情報記録媒体によれば、その製造コストを十分に低減することができる。
【００１２】
また、本発明に係る情報記録媒体によれば、磁気テープのテープエンドを検出するための検出光の光路を変更させるプリズムが取り付けられた固定部材としての光学系部材にスプリング支持部を配設したことにより、スプリング支持部を配設するための別部材を設ける必要がないため、その分、情報記録媒体の製造工程を簡略化することができる。この結果、この情報記録媒体によれば、その製造コストを十分に低減することができる。
【００１３】
さらに、本発明に係る情報記録媒体によれば、ロックスプリングの他端部を当接させる台座と、台座に配設されてロックスプリングの他端部側に挿入される突起部とを備えてスプリング支持部を構成したことにより、ケース本体の厚みに応じて台座の高さを規定することで、ケース本体の厚みが異なる他の情報記録媒体との間において、共通のロックスプリングを使用することができる。したがって、この情報記録媒体によれば、他の情報記録媒体との間においてロックスプリングを共通化できる分、その製造コストを十分に低減することができる。
【００１４】
また、本発明に係る情報記録媒体によれば、また、スプリング支持部の台座を中空に形成したことにより、固定部材における台座の形成部分周囲のひけの発生を確実に防止することができるため、台座（スプリング支持部）の寸法精度を十分に向上させることができる。
【発明を実施するための最良の形態】
【００１５】
以下、本発明に係る情報記録媒体の最良の形態について、添付図面を参照して説明する。
【００１６】
最初に、情報記録媒体１の構成について、図面を参照して説明する。
【００１７】
図１に示す情報記録媒体１は、例えば、電子計算機に記録されたデータをバックアップするためのストレージデバイスとして用いられる２リールタイプのカートリッジ式の情報記録媒体であって、同図に示すように、磁気テープＴが巻回されたテープリール２，２、ケース本体３、カバー部材４（図４参照）、光学系部材５，５（図４参照）、リールブレーキ６、シート７，７、スライド部８、フロントカバー９およびロックスプリング１０ａ，１０ａを備えて構成されている。
【００１８】
テープリール２は、図１，２に示すように、磁気テープＴを巻回可能に構成されて、ケース本体３の内部に収容されている。この場合、テープリール２の一端部には、図２に示すように、リールブレーキ６の突起部６１ａが係合することによって回転が禁止される歯部２ａが形成されている。ここで、テープリール２に巻回される磁気テープＴの両端部には、透明または半透明のリーダーテープ（図示せず）がそれぞれ取り付けられており、各リーダーテープの端部が各テープリール２，２にそれぞれ固定されている。
【００１９】
ケース本体３は、図１に示すように、互いに嵌合可能な下ケース１１および上ケース１２を備えて構成されて、両ケース１１，１２の嵌合状態において形成される内部空間にテープリール２，２を回転可能に収容する。下ケース１１は、図３に示すように、底板２１（本発明における底面）および側壁２２ａ〜２２ｆを備えて、全体として、浅皿状に形成されている。底板２１は、情報記録媒体１をドライブ装置に挿入する際の前面側（同図における下側）の中央部に切り欠き部２１ａ（本発明におけるテープ引き出し口）が形成されて構成されている。また、底板２１には、ドライブ装置の駆動軸を挿通させるための円形の挿通孔２１ｂ，２１ｂが形成されている。また、底板２１の切り欠き部２１ａ側には、スライド部８をスライド不可状態にロックするためのロック部２３，２３が形成（配設）されている。この場合、ロック部２３は、同図に示すように、基端部２３ａを除く部位が底板２１から切り離されて先端部２３ｂ側が上下動可能なアーム状に形成されている。また、ロック部２３の先端部２３ｂには、図５に示すように、スライド部８の係合孔８１ｂ，８１ｃ（図８も参照）に係合する突起部２３ｃが形成されている。側壁２２ａ〜２２ｆは、底板２１の縁部にそれぞれ立設されている。この場合、側壁２２ｄ，２２ｅには、図１３に示すように、ドライブ装置の検出部から射出される磁気テープＴのテープエンド検出用の検出光をケース本体３の内部に入射させる矩形の窓部２４がそれぞれ形成されている。
【００２０】
上ケース１２は、図４に示すように、天板３１（本発明における天面）、側壁３２ａ〜３２ｅを備えて、ドライブ装置に挿入する際の前面側に開口部１２ａを有する浅皿状に形成されている。天板３１は、全体として矩形に形成されている。また、天板３１の中央部には、ケース本体３に収容されたテープリール２（磁気テープＴ）を外部から視認させるための矩形の天窓３１ａ（本発明における窓部）が形成されている。側壁３２ａ〜３２ｅは、天板３１の縁部にそれぞれ立設されている。この場合、側壁３２ｄ，３２ｅには、図１３に示すように、下ケース１１の窓部２４から入射して後述するプリズム５２によって光路をＵ字状に変更させられた検出光をケース本体３の外部に出射させる矩形の窓部３３がそれぞれ形成されている。
【００２１】
カバー部材４は、本発明における固定部材の一例であって、図４に示すように、上ケース１２における天板３１の内側（ケース本体内における天面側）に取り付けられている。この場合、カバー部材４は、上ケース１２の天窓３１ａを閉塞するための部材であって、例えば、光透過性を有する樹脂によって上ケース１２（ケース本体３）とは別体に形成されている。また、カバー部材４には、同図に示すように、一対のスプリング支持部４１，４１が一体形成されている。スプリング支持部４１は、台座４１ａおよび突起部４１ｂを備えて構成されている。台座４１ａは、図５に示すように、中空の直方体状に形成されている。また、突起部４１ｂは、その外径がロックスプリング１０ａの内径よりもやや小径の円柱状（または円錐状）に構成されて、台座４１ａに一体形成されている。このスプリング支持部４１は、同図に示すように、突起部４１ｂがロックスプリング１０ａの一方の端部側（本発明における他端部側：同図における上端部側）に挿入されると共に、ロックスプリング１０ａにおけるその一方の端部が台座４１ａの端面に当接することにより、ロックスプリング１０ａを支持する。この場合、ロックスプリング１０ａは、図１１に示すように、下ケース１１のロック部２３の先端部２３ｂをスライド部８側に向けて（下方向に）押圧する。ここで、スプリング支持部４１が、上ケース１２とは別体に形成されて上ケース１２における天板３１の内側に取り付けられるカバー部材４に形成されている。このため、ケース本体３の天板にスプリング支持部を直接形成する構成とは異なり、スプリング支持部４１を形成することによってカバー部材４にひけが生じたとしても、ケース本体３の外部からそのひけが視認される事態が確実に回避されている。一方、台座４１ａは、ケース本体の厚みが異なる他の情報記録媒体との間において、共通のロックスプリング１０ａの使用を可能とするために、ケース本体３の厚みに応じてその高さが規定されている。したがって、台座４１ａは、例えば、図６に示す情報記録媒体１０１のようにその厚みがケース本体３の厚みよりも薄いケース本体１０３におけるスプリング支持部１４１の台座１４１ａと比較して、両ケース本体３，１０３の厚みの差分だけ高くなるように規定されている。
【００２２】
光学系部材５，５は、図４に示すように、本体部５１およびプリズム５２をそれぞれ備えている。本体部５１，５１は、板状に形成されて、上ケース１２の天板３１における側壁３２ｄ，３２ｅの近傍にそれぞれ取り付けられている。プリズム５２は、ドライブ装置の検出部から射出されて、下ケース１１の窓部２４から入射したテープエンド検出用の検出光の光路をＵ字状に変更させて、上ケース１２の窓部３３からケース本体３の外部に出射させる。
【００２３】
リールブレーキ６は、図７に示すように、本体部６１および腕部６２，６２を備えて構成されている。本体部６１は、テープリール２，２に対して接離する方向に沿ってスライド可能にケース本体３の内部に配設されると共に、図１に示すスプリング１０ｂによってテープリール２，２に近接する向きに付勢されている。また、本体部６１には、２つの突起部６１ａ，６１ａが形成されている。この場合、本体部６１は、テープリール２，２に近接したときに、突起部６１ａ，６１ａがテープリール２，２の歯部２ａにそれぞれ係合することにより、テープリール２，２の回転を規制する。また、本体部６１は、テープリール２，２から離間したときにテープリール２，２の歯部２ａに対する突起部６１ａ，６１ａの係合が解除されることにより、テープリール２，２の回転規制を解除する。腕部６２，６２は、図７に示すように、本体部６１の両端部にそれぞれ突出形成されている。この場合、腕部６２，６２は、フロントカバー９の回動に伴い、その先端部がフロントカバー９の支持部９２に係合して移動させられることにより、テープリール２，２に対して接離する方向に沿って本体部６１をスライドさせる。
【００２４】
シート７，７は、例えば、樹脂材料によって成形されたシートであって、図１に示すように、下ケース１１とテープリール２との間、およびテープリール２と上ケース１２との間にそれぞれ配設されている。このシート７は、テープリール２を円滑に回転動作させると共に、磁気テープＴの幅方向への移動を防止することによって磁気テープＴをテープリール２に整然と巻き取らせる機能を有している。
【００２５】
スライド部８は、図８に示すように、スライド本体部８１および側壁８２，８２を備えて構成されている。スライド本体部８１は、矩形の板状に形成されている。また、スライド本体部８１には、ドライブ装置の駆動軸を挿通させるための円形の挿通孔８１ａ，８１ａが形成されている。また、スライド本体部８１には、下ケース１１におけるロック部２３の突起部２３ｃに係合する一対の係合孔８１ｂ，８１ｂおよび一対の係合孔８１ｃ，８１ｃが形成されている。側壁８２，８２は、スライド本体部８１の両端部にそれぞれ立設されている。この場合、スライド部８は、図１１に示すように、下ケース１１における底板２１の外側にスライド可能に嵌め合わされて、図１に示すスプリング１０ｃによって下ケース１１の切り欠き部２１ａ側に向けて付勢されている。
【００２６】
フロントカバー９は、図９に示すように、本体部９１、および本体部９１の両端部に形成された支持部９２，９２を備えて構成されている。この場合、フロントカバー９は、図１３に示すように、上ケース１２の側壁３２ｄ，３２ｅに支持部９２，９２が回動可能に取り付けられて、ドライブ装置によって回動させられることにより、本体部９１が上ケース１２の開口部１２ａを開閉する。また、フロントカバー９は、回動させられる際に、支持部９２に形成されている突起部（図示せず）がリールブレーキ６の腕部６２の先端部における突起部（図示せず）に係合して腕部６２を移動させることにより、リールブレーキ６の本体部６１をテープリール２，２に対して接離する方向に沿ってスライドさせる。
【００２７】
次に、情報記録媒体１を用いたデータの記録再生方法について、図面を参照して説明する。
【００２８】
この情報記録媒体１が図外のドライブ装置から取り出されている状態、つまり非使用時においては、図２に示すように、リールブレーキ６の本体部６１が、スプリング１０ｂ（図１参照）の付勢力によってテープリール２，２に近接している。このため、本体部６１の突起部６１ａ，６１ａがテープリール２，２の歯部２ａにそれぞれ係合して、テープリール２，２の回転が規制されている。また、図１０，１１に示すように、スライド部８が、下ケース１１における底板２１の切り欠き部２１ａ側の位置Ｐ１に位置して、底板２１の挿通孔２１ｂ，２１ｂおよび切り欠き部２１ａを閉塞している。この場合、スライド部８は、図５，１０に示すように、ロックスプリング１０ａ，１０ａによって押圧されている下ケース１１におけるロック部２３，２３の突起部２３ｃ，２３ｃがスライド本体部８１の係合孔８１ｂ，８１ｂにそれぞれ係合することにより、スライド不可状態にロックされている。また、この状態では、図１１に示すように、フロントカバー９が、ケース本体３における上ケース１２の開口部１２ａを閉塞している。なお、図１１，１３では、ロックスプリング１０ａとロック部２３との位置関係を明確に図示するために、テープリール２、光学系部材５、リールブレーキ６およびシート７等の図示を省略している。
【００２９】
一方、情報記録媒体１がドライブ装置の挿入口から装填部に向けて挿入されたときには、装填部が情報記録媒体１を内部に引き込む。この場合、下ケース１１におけるロック部２３，２３の突起部２３ｃ，２３ｃが挿入口の近傍に取り付けられた当接部（図示せず）に当接した状態で情報記録媒体１が引き込まれる。この際に、突起部２３ｃ，２３ｃが上方向（上ケース１２の天板３１へ向かう方向）に押し上げられて、スライド部８におけるスライド本体部８１の係合孔８１ｂ，８１ｂと突起部２３ｃ，２３ｃとの係合が解除されて、スライド部８のスライド不可状態が解除される。このため、図１２，１３に示すように、スライド部８が、スプリング１０ｃ（図１参照）による付勢力に抗して下ケース１１の側壁２２ａ側にスライドさせられて、位置Ｐ２に位置する。この状態では、スライド部８の挿通孔８１ａと下ケース１１の挿通孔２１ｂとが連通すると共に、下ケース１１における底板２１の切り欠き部２１ａが開口される。また、図１２に示すように、下ケース１１におけるロック部２３，２３の突起部２３ｃ，２３ｃがスライド部８におけるスライド本体部８１の係合孔８１ｃ，８１ｃにそれぞれ係合することにより、スライド部８が、スライド不可状態にロックされている。次に、装填部が、ドライブ装置内の駆動軸の先端部に向けて情報記録媒体１を移動させる。この際に、駆動軸が挿通孔８１ａ，８１ａおよび挿通孔２１ｂ，２１ｂを通ってテープリール２の中心部に挿入される。
【００３０】
次に、ドライブ装置が、図１３に示すように、フロントカバー９を回動させることにより、上ケース１２の開口部１２ａが開放される。この際に、フロントカバー９における支持部９２の突起部（図示せず）が、リールブレーキ６の腕部６２，６２における先端部の突起部（図示せず）に係合して、腕部６２，６２を開口部１２ａ側に移動させる。これに伴い、リールブレーキ６の本体部６１が、スプリング１０ｂ（図１参照）による付勢力に抗してテープリール２，２から離間する方向に沿ってスライドさせられる。このため、テープリール２，２の歯部２ａと本体部６１の突起部６１ａ，６１ａとの係合が解除されて、テープリール２，２の回転の規制が解除される。
【００３１】
次いで、ドライブ装置が磁気テープＴを磁気ヘッドに当接させると共に、テープリール２，２を回転させて、データの読み出しや書き込みを開始する。また、ドライブ装置に配設されているテープエンド検出部が、検出光を射出する。この場合、検出光は、ケース本体３における下ケース１１の窓部２４から入射して、磁気テープＴに照射される。続いて、磁気テープＴが一方のテープリール２に巻き取られて、他方のテープリール２に巻回されていた磁気テープＴがテープエンドとなったときには、検出光が、磁気テープＴの端部に取り付けられているリーダーテープを透過して、光学系部材５のプリズム５２によって光路がＵ字状に変更させられて、ケース本体３における上ケース１２の窓部３３を介してケース本体３の外部に出射する。この際に、テープエンド検出部が検出光を受光し、これに応じて、ドライブ装置がデータの読み出しや書き込みを終了すると共に、テープリール２，２の回転を停止させる。次に、ドライブ装置は、磁気テープＴから磁気ヘッドを離間させる。
【００３２】
次いで、装填部が、駆動軸の先端部から情報記録媒体１を離間させる。続いて、ドライブ装置が、上記した方向とは逆方向にフロントカバー９を回動させることにより、図１１に示すように、上ケース１２の開口部１２ａが閉塞される。この際に、フロントカバー９における支持部９２が、リールブレーキ６の腕部６２，６２をテープリール２，２側に移動させる。これに伴い、リールブレーキ６の本体部６１が、テープリール２，２に近接する方向に沿って移動させられる。このため、テープリール２，２の歯部２ａに本体部６１の突起部６１ａ，６１ａが係合して、テープリール２，２の回転が規制される。次に、装填部が、挿入口の外側に向けて情報記録媒体１を押し出す。この場合、下ケース１１におけるロック部２３，２３の突起部２３ｃ，２３ｃが挿入口の近傍に取り付けられた当接部（図示せず）に当接した状態で情報記録媒体１が押し出される。この際に、突起部２３ｃ，２３ｃが上方向に押し上げられて、スライド部８における係合孔８１ｃ，８１ｃと突起部２３ｃ，２３ｃとの係合が解除され、スライド部８のスライド不可状態が解除される。このため、図１０，１１に示すように、スライド部８が、スプリング１０ｃ（図１参照）の付勢力によって下ケース１１における底板２１の切り欠き部２１ａ側にスライドさせられて、位置Ｐ１に位置する。この状態では、底板２１の挿通孔２１ｂ，２１ｂおよび切り欠き部２１ａがスライド部８によって閉塞される。また、図５，１０に示すように、ロックスプリング１０ａ，１０ａによって押圧されている下ケース１１におけるロック部２３，２３の突起部２３ｃ，２３ｃがスライド部８におけるスライド本体部８１の係合孔８１ｂ，８１ｂにそれぞれ係合することにより、スライド部８がスライド不可状態にロックされる。これにより、情報記録媒体１がドライブ装置の挿入口から取り出し可能な状態となる。
【００３３】
このように、この情報記録媒体１によれば、ケース本体３とは別体に形成されてケース本体３における天板３１側に収容されたカバー部材４にスプリング支持部４１を配設したことにより、ケース本体３の天板にスプリング支持部４１を直接形成する構成とは異なり、例えば、スプリング支持部４１の強度を向上させるためにスプリング支持部４１の基端部側を大径に形成してカバー部材４にひけが生じたとしても、ケース本体３の外部からそのひけが視認される事態を確実に回避できるため、ケース本体３の外観を綺麗な状態に維持することができる。
【００３４】
また、ケース本体３に形成された天窓３１ａを閉塞するカバー部材４にスプリング支持部４１を一体形成したことにより、スプリング支持部４１を配設するための別部材を設ける必要がないため、その分、情報記録媒体１の製造工程を簡略化することができる。この結果、この情報記録媒体１によれば、その製造コストを十分に低減することができる。
【００３５】
また、ロックスプリング１０ａの他端部を当接させる台座４１ａと、台座４１ａに配設されてロックスプリング１０ａの他端部側に挿入される突起部４１ｂとを備えてスプリング支持部４１を構成したことにより、ケース本体３の厚みに応じて台座４１ａの高さを規定することで、ケース本体の厚みが異なる他の情報記録媒体（例えば、情報記録媒体１０１）との間において、共通のロックスプリング１０ａを使用することができる。したがって、この情報記録媒体１によれば、他の情報記録媒体との間においてロックスプリング１０ａを共通化できる分、その製造コストを十分に低減することができる。
【００３６】
また、スプリング支持部４１の台座４１ａを中空に形成したことにより、カバー部材４における台座４１ａの形成部分周囲のひけの発生を確実に防止することができるため、台座４１ａ（スプリング支持部４１）の寸法精度を十分に向上させることができる。
【００３７】
なお、本発明は、上記の構成に限定されない。例えば、カバー部材４にスプリング支持部４１を形成する例について上記したが、図１４に示すように、カバー部材４に代えて、光学系部材１０５（本発明における固定部材の他の一例）にスプリング支持部４１を一体形成する構成を採用することもできる。また、図１５に示すように、カバー部材４と光学系部材５とを一体化して１つの板状部材２０４（本発明における固定部材のさらに他の一例）に形成し、その板状部材２０４にスプリング支持部４１を一体形成する構成を採用することもできる。さらに、カバー部材４や光学系部材５とは別のスプリング支持部４１（専用の固定部材）を設ける構成を採用することもできる。この場合、スプリング支持部４１における台座４１ａは、その形状が上記した直方体以外の円柱状等の任意の形状であってもよいし、その構造が中空以外の構造であってもよい。
【００３８】
また、電子計算機に記録されたデータのバックアップに用いられる情報記録媒体１を例に挙げて説明したが、画像データの記録に用いられる情報記録媒体や、音声データの記録に用いられる情報記録媒体等の各種の情報記録媒体に本発明を適用することができる。また、２つのテープリール２を備えた情報記録媒体１を例に挙げて説明したが、単一のテープリールを備えた情報記録媒体に本発明を適用することもできる。
【図面の簡単な説明】
【００３９】
【図１】情報記録媒体１の分解斜視図である。
【図２】情報記録媒体１の平面図である。
【図３】下ケース１１の内面側から見た平面図である。
【図４】上ケース１２の内面側から見た上ケース１２、カバー部材４および光学系部材５の平面図である。
【図５】情報記録媒体１におけるスプリング支持部４１周辺の断面図である。
【図６】情報記録媒体１０１におけるスプリング支持部１４１周辺の断面図である。
【図７】リールブレーキ６の平面図である。
【図８】スライド部８の平面図である。
【図９】フロントカバー９の平面図である。
【図１０】スライド部８が位置Ｐ１に位置しているときの情報記録媒体１を下ケース１１側から見た平面図である。
【図１１】スライド部８が位置Ｐ１に位置しているときの情報記録媒体１の側面図である。
【図１２】スライド部８が位置Ｐ２に位置しているときの情報記録媒体１を下ケース１１側から見た平面図である。
【図１３】スライド部８が位置Ｐ２に位置しているときの情報記録媒体１の側面図である。
【図１４】上ケース１２の内面側から見た上ケース１２および光学系部材１０５の平面図である。
【図１５】上ケース１２の内面側から見た上ケース１２および板状部材２０４の平面図である。
【符号の説明】
【００４０】
１，１０１  情報記録媒体
２  テープリール
３，１０３  ケース本体
４  カバー部材
５，１０５  光学系部材
８  スライド部
１０ａ  ロックスプリング
１２ａ  開口部
２１  底板
２１ａ  切り欠き部
２３  ロック部
３１  天板
３１ａ  天窓
４１，１４１  スプリング支持部
４１ａ，１４１ａ  台座
４１ｂ  突起部
５２  プリズム
２０４  部材
Ｔ  磁気テープ
【図１】
2006331464.tif 000003
【図２】
2006331464.tif 000004
【図３】
2006331464.tif 000005
【図４】
2006331464.tif 000006
【図５】
2006331464.tif 000007
【図６】
2006331464.tif 000008
【図７】
2006331464.tif 000009
【図８】
2006331464.tif 000010
【図９】
2006331464.tif 000011
【図１０】
2006331464.tif 000012
【図１１】
2006331464.tif 000013
【図１２】
2006331464.tif 000014
【図１３】
2006331464.tif 000015
【図１４】
2006331464.tif 000016
【図１５】
2006331464.tif 000017